【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  原稿を読み取るスキャナ手段と、このスキャナ手段により読み取られた画像データを圧縮する圧縮手段と、この圧縮手段により圧縮された画像データを電子メールで送信する電子メール送信手段と、この電子メール送信手段による送信に係る送信時刻及び送信相手先を含む送信識別情報を記憶する記憶手段とを具備し、前記電子メール送信手段により送信を行った後、所定の時間が過ぎても前記電子メール送信手段による送信に対する返信メールを受信しなかった場合にはその旨を示す結果情報を、前記所定の時間内に前記電子メール送信手段による送信に対する受信確認を意味する返信メールを受信した場合には送達確認を示す結果情報を前記送信識別情報に対応づけて前記記憶手段に記憶させる通信装置。
【請求項２】  原稿を読み取るスキャナ手段と、このスキャナ手段により読み取られた画像データを圧縮する圧縮手段と、この圧縮手段により圧縮された画像データを電子メールで送信する電子メール送信手段と、この電子メール送信手段による送信に係る送信時刻及び送信相手先を含む送信識別情報を記憶する記憶手段とを具備し、前記電子メール送信手段により送信を行った後、所定の時間が過ぎても前記電子メール送信手段による送信に対する返信メールを受信しなかった場合にはその旨を示す結果情報を、前記所定の時間内に前記電子メール送信手段による送信に対する受信エラーを意味する返信メールを受信した場合には送達エラーを示す結果情報を前記送信識別情報に対応づけて前記記憶手段に記憶させる通信装置。
【請求項３】  原稿を読み取るスキャナ手段と、このスキャナ手段により読み取られた画像データを圧縮する圧縮手段と、この圧縮手段により圧縮された画像データを電子メールで送信する電子メール送信手段と、この電子メール送信手段による送信に係る送信時刻及び送信相手先を含む送信識別情報を記憶する記憶手段と、この記憶手段内の情報を表示する表示手段とを具備し、前記電子メール送信手段により送信を行った後、所定の時間内に前記電子メール送信手段による送信に対する受信確認を意味する返信メールを受信した場合には送達確認を示す結果情報を前記送信識別情報に対応づけて前記記憶手段に記憶させ、前記表示手段に前記記憶手段内の情報を表示させる際に、前記所定の時間内であって前記電子メール送信手段による送信に対する返信メールを待っている状態の時には、その旨が識別できる形態で前記送信識別情報とともに前記表示手段に表示させる通信装置。
【請求項４】  原稿を読み取るスキャナ手段と、このスキャナ手段により読み取られた画像データを圧縮する圧縮手段と、この圧縮手段により圧縮された画像データを電子メールで送信する電子メール送信手段と、この電子メール送信手段による送信に係る送信時刻及び送信相手先を含む送信識別情報を記憶する記憶手段と、この記憶手段内の情報を表示する表示手段とを具備し、前記電子メール送信手段により送信を行った後、所定の時間内に前記電子メール送信手段による送信に対する受信エラーを意味する返信メールを受信した場合には送達エラーを示す結果情報を前記送信識別情報に対応づけて前記記憶手段に記憶させ、前記表示手段に前記記憶手段内の情報を表示させる際に、前記所定の時間内であって前記電子メール送信手段による送信に対する返信メールを待っている状態の時には、その旨が識別できる形態で前記送信識別情報とともに前記表示手段に表示させる通信装置。
【請求項５】  原稿を読み取るスキャナ手段と、このスキャナ手段により読み取られた画像データを圧縮する圧縮手段と、この圧縮手段により圧縮された画像データを電子メールで送信する電子メール送信手段と、この電子メール送信手段による送信に係る送信時刻及び送信相手先を含む送信識別情報を記憶する記憶手段と、この記憶手段内の情報を表示する表示手段とを具備し、前記電子メール送信手段により送信を行った後、所定の時間内に前記電子メール送信手段による送信に対する返信メールを受信しなかった場合にはその旨を示す結果情報を前記送信識別情報に対応づけて前記記憶手段に記憶させ、前記表示手段に前記記憶手段内の情報を表示させる際に、前記所定の時間内であって前記電子メール送信手段による送信に対する返信メールを待っている状態の時には、その旨が識別できる形態で前記送信識別情報とともに前記表示手段に表示させる通信装置。
【請求項６】  読み取られた画像データを圧縮し、この圧縮された画像データを電子メールにより送信する一方で、電子メールによる送信に係る送信時刻及び送信相手先を含む送信識別情報を記憶し、所定の時間が過ぎても前記送信に対する返信メールを受信しなかった場合にはその旨を示す結果情報を、前記所定の時間内に前記送信に対する返信メールを受信した場合にはその返信メールの内容に応じた結果情報を前記送信識別情報に対応づけて記憶させる通信方法。
【請求項７】  読み取られた画像データを圧縮し、この圧縮された画像データを電子メールにより送信する一方で、電子メールによる送信に係る送信時刻及び送信相手先を含む送信識別情報を記憶し、所定の時間内に前記送信に対する受信確認を意味する返信メールを受信した場合にはその返信メールの内容に応じた結果情報を前記送信識別情報に対応づけて記憶させ、記憶された情報を表示させる際に、前記所定の時間内であって前記送信に対する返信メールを待っている状態の時には、その旨が識別できる形態で前記送信識別情報とともに表示させる通信方法。
【請求項８】  読み取られた画像データを圧縮し、この圧縮された画像データを電子メールにより送信する一方で、電子メールによる送信に係る送信時刻及び送信相手先を含む送信識別情報を記憶し、所定の時間内に前記送信に対する返信メールを受信しなかった場合にはその旨を示す結果情報を前記送信識別情報に対応づけて記憶させ、記憶された情報を表示させる際に、前記所定の時間内であって前記送信に対する返信メールを待っている状態の時には、その旨が識別できる形態で前記送信識別情報とともに表示させる通信方法。
【手続補正２】
【補正対象書類名】明細書
【補正対象項目名】０００５
【補正方法】変更
【補正の内容】
【０００５】
【発明が解決しようとする課題】
本発明は、インターネットやＬＡＮなどによる通信装置間において、送達結果を確実に確認することができる通信装置および通信方法を提供することを目的とする。
【手続補正３】
【補正対象書類名】明細書
【補正対象項目名】０００６
【補正方法】変更
【補正の内容】
【０００６】
【課題を解決するための手段】
上記目的を達成するために、本発明は、インターネットやＬＡＮなどのネットワーク回線による通信において、返信メールに係る情報を送信側の通信装置に蓄積し、蓄積された情報を確認することにより送達の確認を行うものである。
【手続補正４】
【補正対象書類名】明細書
【補正対象項目名】０００７
【補正方法】変更
【補正の内容】
【０００７】
【発明の実施の形態】
以下、本発明の実施の形態について、図面とともに説明する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００５５
【補正方法】変更
【補正の内容】
【００５５】
【発明の効果】
以上のような構成の通信装置および通信方法によれば、相手方への送達確認を簡単かつ確実に行なうことができる。
【手続補正３４】
【補正対象書類名】明細書
【補正対象項目名】００５６
【補正方法】削除
【補正の内容】